(57)【要約】【課題】  本当にきめ細かく、消えにくい泡を、大量に、経済的に、簡単に作る事と、泡立ての際に手指や掌に摩擦などの負担をかけない事。【解決手段】  細かすぎない目のネットを、ネットの目の縦目と横目を垂直に、更に斜めの３方向以上にと、筒状５層に重ね、左右の両端を束ねた部分に付けた持ち手部を持って、両手で回転するのでネット部と手は擦れない。一番内側からの２層を核にした筒状５層構造回転＝円運動なので、効率的に激しく泡を練り鍛える事が出来る。【選択図】図１
2008061981.tif 000002
【特許請求の範囲】
【請求項１】
筒状のネット５枚から成り、内側ネット２枚と外側ネット３枚の配置方向を異ならせ、且つ筒状ネット５枚の長さ方向の両端をそれぞれ束ねた部分に持ち手を付け、外側から内側に向けて３枚は順に縦目を左右方向に配置、円周方向に凹部を設けると共に、外側から４枚目は前記方向と交差する目の方向、５枚目は４枚目と同じ方向に且つ捻りを入れて配置した事を特徴とする泡・ムース製造具。
【請求項２】
筒状のネットは目の大きさを１．５〜２．５ｍｍの径としたポリエチレン製である請求項１記載の泡・ムース製造具。
【発明の詳細な説明】
【技術分野】
【０００１】  洗剤（石鹸）の泡立て具に関する
【背景技術】
【０００２】  従来の泡立て具は、例えば特許第３２１８３３９号に記載されているが、他製品も同様に、ある程度の泡は出来ても、その使用方法は、化繊などのネットや糸等による泡立て具と、洗剤とを、手指や掌とで直接擦り合わせる事により泡立てるしくみで、その使用方法では、手の皮膚に摩擦による負担がかかる上、擦り合わせる洗剤で手の皮脂が失われ、肌荒れを助長するものであり、冬場は特に荒れ性肌の人は、あかぎれやささくれ等が出来やすく、かさついた皮膚に刺激を与えたくない状態であり、又一般的にも、主婦湿疹などで荒れた手の人等も同様に、擦って使用するのは困難で、更に洗髪用・全身用等には大量の泡が必要で、それを、手で擦ったりする事で日常的に作るのは、手にかかる摩擦や洗剤分による負担が非常に大きく、現実的に、正常な皮膚の手でも無理があった。根本的に、手そのものでの泡立てではなく、製造具だけを使って、もっと簡単に大量の泡が出来るのが望ましかった。
【特許文献１】  特許第３２１８３３９号
【発明の開示】
【発明が解決しようとする課題】
【０００３】  従来は、泡は出来ても日常的に大量に作るのは実際は難しく、シャンプー（洗髪）や全身用に必要な量の泡を、泡製造具と手そのものを使っての、擦り合せる方法では、手指や掌への摩擦による負担が大きい上、泡を用意するのに時間がかかった。一番重要な事は、手の指や掌を使って泡立てると、手の油分が抜け、又、洗剤と化繊等のネットを挟んで何度も擦り合わせるので、摩擦で手が荒れやすい。ことに普段から肌質が弱い人や、冬季は、多くの人が手荒れになりやすい為、そのように直接手で擦ったりすることなく、良質な大量の泡を簡単に日常的に作れるのが望ましい。
【課題を解決するための手段】
【０００４】  請求項１の、筒状のネット５枚から成り、内側ネット２枚と外側ネット３枚の配置方向を異ならせ、且つ筒状ネット５枚の長さ方向の両端をそれぞれ束ねた部分に持ち手を付け、外側から内側に向けて３枚は順に縦目を左右方向に配置、円周方向に凹部を設けると共に、外側から４枚目は前記方向と交差する目の方向、５枚目は４枚目と同じ方向に且つ捻りを入れて配置し、両端の持ち手部を持って回転させる事を特徴とし、泡立てネットと、手指や掌が直接擦れずに泡を作る事が出来る、泡・ムース製造具。請求項２の発明は筒状のネットは目の大きさを１．５〜２．５ｍｍの径としたポリエチレン製である請求項１記載の泡・ムース製造具。
【発明の効果】
【０００５】  洗顔時に肌を、強くこすらなくてもきめ細かな泡が毛穴の汚れを良く落とし、しっかりとした固めの泡は、垂れないので肌と手との間に、厚みのあるサンドイッチ状となり、顔など、軽いマッサージもできる。シャンプー剤を泡立てて洗髪に使用すると、髪を初めから泡で洗う事が出来るので髪を傷めず、特に長い髪に適している。従来の洗髪は、地肌につけたシャンプー剤を髪で泡立てているので摩擦により、髪が傷みやすい状態であった。又、地肌にシャンプーの液体をいきなりつける事をしないので地肌への刺激が少ない。良質の細かな泡は、皮膚の汚れを良く落とすだけでなく、尚且つ石鹸分は早く落ちてすすぎの時間・湯量、共に短縮される。チューブ入り洗顔料の規定量をしっかり泡立てた場合には、８時間放置した後でも、泡の量は３分の１程度にはなるものの、泡自体は消えなかったし、それを手に取ってみると、まだ、弾力が残っていた。これ程ではないが固形石鹸なども十分使えるので好みの石鹸を使用出来る。一般的な通常の洗顔は、洗顔料の規定量の半分以下で済む。ネットに含ませる湯又は水の量を調節する事。ネットの回転数は使用目的に応じて、欲しい泡質・泡量により、洗顔料（石鹸）・湯水と共にその都度決めればよい。重要な事は、手指や掌とネットとを直接擦り合わせず、両端の持ち手を持って回転させ、ネット同士を擦り合わせる事により、手指や掌に負担をかける事なく、従来より簡単に、日常的に、しかも大量に良質な泡を作ることが出来るという事である。
【発明を実施するための最良の形態】
【０００６】  筒状・多層のネットを中央部分にふくらみをもたせ、左右の両端をそれぞれ束ね、その束ねた部分に、両手で持つ為の丈夫な持ち手を付けたキャンデー形で、ネットを直接手で揉んだり擦ったりせず、持ち手を持って回転して使う。使用するネットは、みかんやキウイ等の果物や、おくら等の野菜を入れてあったりするネット様のポリエチレン製であるが、大量にきめ細かな泡立てをするには、ネットの縦横斜めの目方向に柔かく伸縮する必要があり、その為には一定の範囲の目の大きさで、且つ、捻りを加えたり多層にして使用する為にも柔かいネットを使用しなくてはならない。
【実施例】
【０００７】  ネットは筒状のポリエチレン製で、対辺方向に引っ張った時の目が１．５ｍｍ以下のものや使用する筒状ネットの数が５層より多くても少なくても結果は良くなかった。ネットの目が１．０ｍｍ程度だとごわごわして泡立てに不向きであった。筒状ネットの向きが一定方向ばかりや、揉む方法も同様に良い結果が出なかった。本発明形状での回転運動が、手に摩擦を与える事なく、効率的に泡練りをするネットにより、泡を鍛え、洗剤分と湯水と回転数を調節する事により泡質・泡量も加減出来、泡製造具として最適。持ち手はプラスチック製。
一度洗剤を付けたら、出来る泡量は、一回目を１０とした場合、二回目回転後５、三回目回転後２の割合で、三回目までは十分泡が発生した。
【産業上の利用可能性】
【０００８】  既にみかん袋様の物から糸状の物など、泡立てネットと呼ばれる物は数多く世に出されているので、内容は乏しくとも知名度はある。使う立場で不満のあった１女性として、真剣に取り組んだ結果出来た、本発明の泡製造具は、良質な泡が従来品よりも大量に作れ、洗剤分も少なめですみ、泡製造の性能が高いだけでなく、持ち手を使って回転させるので、直接、手指や掌を擦ったりしない為、手荒れの心配がなく年中使え、又、泡の使用については、常に強く擦って体を洗うと、場合によっては色素沈着の起きる可能性もある事と、今日では、ほとんどの人が毎日入浴する為、通常は擦り洗いをしなくても、良質の泡を体に手で撫で付ける程度の泡洗浄で十分であり、女性や肌の弱い人ばかりでなく、最近は、頭髪を気にする男性も多く、性能抜群のこの商品は広く貢献出来る。湯か水で濡らしたネットの中心の凹内に洗剤（石鹸）分を付け左右の手で両端の持ち手部分を持ち、左右からネットの中心をこすり合せるように回転する。時々逆回転する。
【図面の簡単な説明】
【０００９】
【図１】    本発明の外観を示す図
【図２】    Ａ−Ａの断面図を示す
【図３】    本発明の使用する状態を示す図
【符号の説明】
【００１０】    １    最も外側の筒状ネット
２    外側から２番目の筒状ネット
３    外側から３番目の筒状ネット
４    外側から４番目の筒状ネットで１〜３とネットの目が交差する向きの円周方向    ５    外側から５番目の筒状ネットで捻りの為、斜めであり且つ１〜３と交差する向きの円周方向
６    洗剤（洗顔料または石鹸またはシャンプー）をつける凹部
７    持ち手部
【図１】
2008061981.tif 000003
【図２】
2008061981.tif 000004
【図３】
2008061981.tif 000005